(57)【要約】【課題】焦準機構における固定部と可動部との間に装備する荷重軽減のための弾性部材を、特別な工具や治具を用いることなく簡易な作業で交換可能とすること。【解決手段】焦準機構５は、上端部１１ｂと下端部１１ａがそれぞれ可動部５ｂと固定部５ａとに着脱自在に固定され、可動部５ｂから固定部５ａに加わる荷重を軽減する力を発するガススプリング１１と、上端部１１ｂと可動部５ｂとの間に配設され、可動部５ｂの上面に仮止めされる仮止め部１３ｂａと、可動部５ｂの上面にボルト締めされる本止め部１３ｂｂと、上端部１１ｂを支持する支持部１３ａとを有し、本止め部１３ｂｂがボルト締めされた場合、仮止めされた仮止め部１３ｂａを支点として回動し、本止め部１３ｂｂのボルト締め込み量に応じて、支持部１３ａに支持されたガススプリング１１を圧縮して可動部５ｂに固定する上部アダプタ１３と、を備える。【選択図】        図４
2007133101.tif 000002
【特許請求の範囲】
【請求項１】
標本または対物レンズの一方が配設された固定部に対し、前記標本または前記対物レンズの他方が配設された可動部を上下動させて前記標本に対する前記対物レンズの焦点合わせを行う焦準機構を備えた顕微鏡において、
前記焦準機構は、
上下端部がそれぞれ前記可動部と前記固定部とに着脱自在に固定され、前記可動部から前記固定部に加わる荷重を軽減する力を発する弾性部材と、
前記弾性部材の上端部と前記可動部との間に配設され、前記可動部の上面に仮止めされる仮止め部と、前記可動部の上面にボルト締めされる本止め部と、前記弾性部材の上端部を支持する支持部とを有し、前記本止め部がボルト締めされた場合、仮止めされた前記仮止め部を支点として回動し、前記本止め部のボルト締め込み量に応じて、前記支持部に支持された前記弾性部材を圧縮して前記可動部に固定する取付補助部材と、
を備えたことを特徴とする顕微鏡。
【請求項２】
前記支持部は、前記弾性部材の上端部を前記取付補助部材の回動方向に回動可能に支持することを特徴とする請求項１に記載の顕微鏡。
【請求項３】
前記仮止め部は、所定角度で傾斜した前記可動部の上面において、前記本止め部がボルト締めされる位置より高い位置に仮止めされることを特徴とする請求項１または２に記載の顕微鏡。
【請求項４】
前記支持部は、前記仮止め部が仮止めされ、かつ前記本止め部がボルト締めされない初期状態で、前記弾性部材の上端部を前記仮止め部が仮止めされる位置とほぼ同じ高さに支持することを特徴とする請求項３に記載の顕微鏡。
【請求項５】
前記仮止め部は、前記可動部の上面にボルト締めして仮止めされることを特徴とする請求項１〜４のいずれか一つに記載の顕微鏡。
【請求項６】
前記支持部は、第１の貫通孔を有し、該第１の貫通孔と前記弾性部材の上端部に形成された第２の貫通孔とにピン状部材を挿通させることで連結された該弾性部材の上端部を支持することを特徴とする請求項１〜５のいずれか一つに記載の顕微鏡。
【請求項７】
前記支持部は、キャップ状の受容部を有し、該受容部に挿嵌された前記弾性部材の上端部を支持することを特徴とする請求項１〜５のいずれか一つに記載の顕微鏡。
【請求項８】
前記焦準機構は、前記弾性部材の下端部と前記固定部との間に配設され、前記弾性部材の下端部を支持する固定側支持部を有し、前記固定部に締結されることによって、前記固定側支持部に支持された前記弾性部材の下端部を前記固定部に固定する固定側取付補助部材をさらに備えたことを特徴とする請求項１〜７のいずれか一つに記載の顕微鏡。
【請求項９】
前記固定側支持部は、カップ状の受容部を有し、該受容部に挿嵌された前記弾性部材の下端部を支持することを特徴とする請求項８に記載の顕微鏡。
【請求項１０】
前記固定側支持部は、複数であり、各固定側支持部は、上下方向の異なる位置に設けられることを特徴とする請求項８または９に記載の顕微鏡。
【請求項１１】
前記弾性部材および前記取付補助部材は、それぞれ複数であり、各弾性部材の上端部は、異なる前記取付補助部材に支持されて前記可動部に固定されることを特徴とする請求項１〜１０のいずれか一つに記載の顕微鏡。
【請求項１２】
前記弾性部材は、ガススプリングまたはコイルバネを用いて形成されたことを特徴とする請求項１〜１１のいずれか一つに記載の顕微鏡。
【請求項１３】
複数の前記弾性部材における一部はガススプリングを用いて形成され、他はコイルバネを用いて形成されたことを特徴とする請求項１１に記載の顕微鏡。
【請求項１４】
前記弾性部材は、ガススプリングを用いて形成され、
前記焦準機構は、上下端部がそれぞれ前記可動部と前記固定部とに着脱自在に支持されることで前記可動部から前記固定部に加わる荷重を軽減する力を発する、コイルバネを用いて形成された補助弾性部材をさらに備えたことを特徴とする請求項１〜１１のいずれか一つに記載の顕微鏡。
【請求項１５】
当該顕微鏡は、前記焦準機構の可動部側に中間鏡筒および撮像ユニットの少なくとも一方が着脱自在であることを特徴とする請求項１〜１４のいずれか一つに記載の顕微鏡。
【発明の詳細な説明】
【技術分野】
【０００１】
本発明は、標本に対して対物レンズの焦点合わせを行う焦準機構を備えた顕微鏡に関する。
【背景技術】
【０００２】
最近の生物研究分野では、遺伝子の解明が進むにつれ、遺伝子の生体内での役割が注目され始めている。特に、遺伝子発現したタンパク質を「めだか」等の生体内で直に蛍光観察するアプリケーションが注目され始めている。生体などの大きな標本の蛍光観察を行うには、一般に実体顕微鏡が用いられる。
【０００３】
近年、実体顕微鏡では、レンズ直径を大口径化して開口数（ＮＡ）を拡大し、低倍率で目立っていた暗い蛍光をより明るく観察できるようにした製品が市販され始めている。かかる実体顕微鏡では、レンズ直径の大口径化にともなって顕微鏡全体が大型化および重量化されている。また、蛍光観察を行うために、水銀ランプや蛍光フィルタ等を搭載する必要があるとともに、蛍光撮影に特化した大型カメラ等を装備する要望も増えている。
【０００４】
このように生物研究分野で一般に用いられる実体顕微鏡では、大型化および重量化の急進とともに、様々な中間装置を組み合わせてユーザーごとにカスタマイズされた顕微鏡システムが求められている。これにともなって顕微鏡システムを支える焦準機構には、より大きな荷重に耐えられ、かつ広範な荷重量に対応可能な耐荷重性が必要とされている。
【０００５】
このような要望に対応した顕微鏡の一例が特許文献１に開示されている。特許文献１に開示された顕微鏡は、支持部を介して架台に搭載された固定台に、対物レンズと上部鏡筒とが取り付けられた焦準台が上下動自在に装着されている。固定台と焦準台とはラック・ピニオンを介して係合され、焦準ハンドルの回転操作に連動して焦準台が上下動されることによって、標本に対して対物レンズの焦点合わせをする焦準駆動が行われる。
【０００６】
固定台と焦準台との間には、円筒状の上下のケースでコイルバネを挟持して伸縮自在に一体構成としたバネユニットが、交換可能に装着されている。このバネユニットは、ラック・ピニオンに加わる焦準台、対物レンズおよび鏡筒等の荷重をバネ力により軽減している。焦準台と鏡筒との間に中間鏡筒を搭載する場合や、鏡筒の上部に写真撮影等を行うための撮像ユニットを搭載する場合には、これらの搭載重量に適合した力量のバネ力を有するバネ部材に交換可能であり、顕微鏡のシステム構成に応じてラック・ピニオンに加わる荷重を適切に軽減することができる。
【０００７】
【特許文献１】特開平１０−２８２４３１号公報
【発明の開示】
【発明が解決しようとする課題】
【０００８】
しかしながら、上述した従来技術にかかる顕微鏡では、バネ部材を交換する際に、大きなバネ力を有するバネ部材を固定台と焦準台との間の挿着部の取り付け寸法以下に圧縮する特別な工具や治具が必要であり、交換作業が大掛かりになるとともに交換作業に多大な労力と時間を要するという問題があった。あるいは、装着部の間隔を広げてバネ部材を交換する場合には、重量化された焦準台を持ち上げるための工具や治具を用いたり、焦準台に搭載された中間鏡筒等を一時的に取り外して軽量化するなどの作業が必要であるとともに、焦準機構を部分的に分解するなどの作業が必要であって、さらに交換作業が大掛かりになるという問題があった。
【０００９】
本発明は、上記に鑑みてなされたものであって、焦準機構における固定部と可動部との間に装備する荷重軽減のための弾性部材を、特別な工具や治具を用いることなく簡易な作業で交換可能とし、交換作業の軽減と交換時間の削減とを実現できるとともに、顕微鏡システムの装備に応じて適切な荷重状態でスムーズな焦準駆動を行うことができる顕微鏡を提供することを目的とする。
【課題を解決するための手段】
【００１０】
上述した課題を解決し、目的を達成するために、請求項１にかかる顕微鏡は、標本または対物レンズの一方が配設された固定部に対し、前記標本または前記対物レンズの他方が配設された可動部を上下動させて前記標本に対する前記対物レンズの焦点合わせを行う焦準機構を備えた顕微鏡において、前記焦準機構は、上下端部がそれぞれ前記可動部と前記固定部とに着脱自在に固定され、前記可動部から前記固定部に加わる荷重を軽減する力を発する弾性部材と、前記弾性部材の上端部と前記可動部との間に配設され、前記可動部の上面に仮止めされる仮止め部と、前記可動部の上面にボルト締めされる本止め部と、前記弾性部材の上端部を支持する支持部とを有し、前記本止め部がボルト締めされた場合、仮止めされた前記仮止め部を支点として回動し、前記本止め部のボルト締め込み量に応じて、前記支持部に支持された前記弾性部材を圧縮して前記可動部に固定する取付補助部材と、を備えたことを特徴とする。
【００１１】
また、請求項２にかかる顕微鏡は、上記の発明において、前記支持部は、前記弾性部材の上端部を前記取付補助部材の回動方向に回動可能に支持することを特徴とする。
【００１２】
また、請求項３にかかる顕微鏡は、上記の発明において、前記仮止め部は、所定角度で傾斜した前記可動部の上面において、前記本止め部がボルト締めされる位置より高い位置に仮止めされることを特徴とする。
【００１３】
また、請求項４にかかる顕微鏡は、上記の発明において、前記支持部は、前記仮止め部が仮止めされ、かつ前記本止め部がボルト締めされない初期状態で、前記弾性部材の上端部を前記仮止め部が仮止めされる位置とほぼ同じ高さに支持することを特徴とする。
【００１４】
また、請求項５にかかる顕微鏡は、上記の発明において、前記仮止め部は、前記可動部の上面にボルト締めして仮止めされることを特徴とする。
【００１５】
また、請求項６にかかる顕微鏡は、上記の発明において、前記支持部は、第１の貫通孔を有し、該第１の貫通孔と前記弾性部材の上端部に形成された第２の貫通孔とにピン状部材を挿通させることで連結された該弾性部材の上端部を支持することを特徴とする。
【００１６】
また、請求項７にかかる顕微鏡は、上記の発明において、前記支持部は、キャップ状の受容部を有し、該受容部に挿嵌された前記弾性部材の上端部を支持することを特徴とする。
【００１７】
また、請求項８にかかる顕微鏡は、上記の発明において、前記焦準機構は、前記弾性部材の下端部と前記固定部との間に配設され、前記弾性部材の下端部を支持する固定側支持部を有し、前記固定部に締結されることによって、前記固定側支持部に支持された前記弾性部材の下端部を前記固定部に固定する固定側取付補助部材をさらに備えたことを特徴とする。
【００１８】
また、請求項９にかかる顕微鏡は、上記の発明において、前記固定側支持部は、カップ状の受容部を有し、該受容部に挿嵌された前記弾性部材の下端部を支持することを特徴とする。
【００１９】
また、請求項１０にかかる顕微鏡は、上記の発明において、前記固定側支持部は、複数であり、各固定側支持部は、上下方向の異なる位置に設けられることを特徴とする。
【００２０】
また、請求項１１にかかる顕微鏡は、上記の発明において、前記弾性部材および前記取付補助部材は、それぞれ複数であり、各弾性部材の上端部は、異なる前記取付補助部材に支持されて前記可動部に固定されることを特徴とする。
【００２１】
また、請求項１２にかかる顕微鏡は、上記の発明において、前記弾性部材は、ガススプリングまたはコイルバネを用いて形成されたことを特徴とする。
【００２２】
また、請求項１３にかかる顕微鏡は、上記の発明において、複数の前記弾性部材における一部はガススプリングを用いて形成され、他はコイルバネを用いて形成されたことを特徴とする。
【００２３】
また、請求項１４にかかる顕微鏡は、上記の発明において、前記弾性部材は、ガススプリングを用いて形成され、前記焦準機構は、上下端部がそれぞれ前記可動部と前記固定部とに着脱自在に支持されることで前記可動部から前記固定部に加わる荷重を軽減する力を発する、コイルバネを用いて形成された補助弾性部材をさらに備えたことを特徴とする。
【００２４】
また、請求項１５にかかる顕微鏡は、上記の発明において、当該顕微鏡は、前記焦準機構の可動部側に中間鏡筒および撮像ユニットの少なくとも一方が着脱自在であることを特徴とする。
【発明の効果】
【００２５】
本発明にかかる顕微鏡によれば、焦準機構における固定部と可動部との間に装備する荷重軽減のための弾性部材を、特別な工具や治具を用いることなく簡易な作業で交換可能とし、交換作業の軽減と交換時間の削減とを実現できるとともに、顕微鏡システムの装備に応じて適切な荷重状態でスムーズな焦準駆動を行うことができる。
【発明を実施するための最良の形態】
【００２６】
以下、添付図面を参照して、本発明にかかる顕微鏡の好適な実施の形態を詳細に説明する。なお、この実施の形態によりこの発明が限定されるものではない。また、図面の記載において、同一部分には同一の符号を付している。
【００２７】
（実施の形態１）
まず、本発明の実施の形態１にかかる顕微鏡について説明する。図１は、本実施の形態１にかかる顕微鏡１００の外観構成を示す斜視図である。図１に示すように、顕微鏡１００は、標本１が載置された架台２と、標本１の上方に対向配置された対物レンズ３と、底部に対物レンズ３が取り付けられ内部にズーム光学系が配設されたズーム鏡体４とを備える。ズーム鏡体４は、焦準駆動を行うための焦準機構５を介して架台２上に搭載されている。ズーム鏡体４の内部に設けられたズーム光学系は、ズーム鏡体４の左右側面に凸設されたズームハンドル４ａの回動操作に応じて、ズーム倍率を連続的に変化させる。なお、標本１は、架台２の上面部に設けられたガラスプレート２ｂ上に載置されている。
【００２８】
また、顕微鏡１００は、ズーム鏡体４上に落射照明鏡筒６と三眼鏡筒７とをこの順に備え、三眼鏡筒７の前部に双眼の接眼レンズ８を備える。中間鏡筒としての落射照明鏡筒６は、背面側に突設された投光管６ａとランプハウス６ｂとを有しており、ランプハウス６ｂ内に設けられた水銀ランプ、ハロゲンランプ等のランプ光源が発して投光管６ａが導光した照明光を下方に反射し、対物レンズ３を介して標本１に照射することで落射照明を行う。
【００２９】
三眼鏡筒７は、内部にレンズ系を有しており、対物レンズ３によって集光された標本１からの観察光を分岐して、接眼レンズ８と、上部に設けられた接続ポート７ａとに対して標本像を結像させる。なお、接続ポート７ａには、ＣＣＤカメラ、フィルムカメラ等の撮像装置を用いて標本像を撮像する撮像ユニットがアダプターを介して着脱自在に接続される。
【００３０】
焦準機構５は、架台２の支持部２ａ上に固定された固定部５ａと、固定部５ａに対して上下動自在に取り付けられた可動部５ｂとを用いて構成されている。固定部５ａと可動部５ｂとは図示しないラック・ピニオンによって係合されており、可動部５ｂは、左右側面に凸設された焦準ハンドル５ｃの回動操作に連動して固定部５ａに対し上下動する。より具体的には、可動部５ｂの背面部に設けられたピニオンが柱状の固定部５ａの前面部に設けられたラックに噛合し、焦準ハンドル５ｃの回動操作に連動してピニオンが回転することにより、可動部５ｂがラックに沿って上下動する。かかる動作によって、標本１に対して対物レンズ３の焦点合わせをする焦準駆動が行われる。焦準駆動では、対物レンズ３と、ズーム鏡体４と、ズーム鏡体４上に搭載された各ユニットとが一体に対物レンズ３の光軸方向に移動される。
【００３１】
また、焦準機構５は、所定の力量のバネ力を発するガススプリング１１を背面部に備える。ガススプリング１１は、上下端部がそれぞれ可動部５ｂと固定部５ａとに着脱自在に固定され、可動部５ｂから固定部５ａに加わる荷重を軽減する力を発するように装備されている。
【００３２】
具体的には、図２における背面からの斜視拡大図（抜粋図）に示すように、ガススプリング１１は、下端部１１ａが固定側取付補助部材としての下部アダプタ１２に支持され、下部アダプタ１２が図示しないビス、ボルト等のネジ部材を用いて固定部５ａの底面に締結されることで、固定部５ａに固定されている。また、上端部１１ｂが取付補助部材としての上部アダプタ１３に支持され、上部アダプタ１３が六角穴付ボルト１４ａ，１４ｂを用いて可動部５ｂの上面にボルト締めされることで、可動部５ｂに固定されている。なお、下部アダプタ１２の固定部５ａに対する固定は、底面部に限定されず側面部等でもよく、ネジ部材を用いた締結に限定されず任意の方法でよい。
【００３３】
また、下端部１１ａは、下端部１１ａに形成された貫通孔１１ａａ（図３参照）と、下部アダプタ１２の支持部１２ａに形成された図示しない貫通孔とにビス１５ａを挿通し、ナット１５ｂで締結することによって下部アダプタ１２に連結され、支持されている。同様に、上端部１１ｂは、上端部１１ｂに形成された貫通孔１１ｂａ（図３参照）と、上部アダプタ１３の支持部１３ａに形成された図示しない貫通孔とにピン状部材としてのビス１６を挿通し、図示しないナットで締結することによって上部アダプタ１３に連結され、支持されている。
【００３４】
このように、焦準機構５では、ガススプリング１１は、外部から容易にアクセス可能な背面部に着脱自在に固定されており、焦準機構５を分解等することなく容易に他のガススプリングと交換可能なように装備されている。
【００３５】
なお、ガススプリング１１の下端部１１ａは、下部アダプタ１２を介して固定部５ａに固定されるものとして説明したが、これに限定されず、固定部５ａに下端部１１ａの支持部を予め形成することで、下端部１１ａを固定部５ａに直接固定することもできる。この場合、例えば固定部５ａの側面に支持部としての雌ネジを形成し、下端部１１ａの貫通孔１１ａａに挿通したビス等をこの雌ネジに螺合することによって、下端部１１ａを固定部５ａに締結固定できる。
【００３６】
ここで、ガススプリング１１は、図３に示すように、シリンダチューブ１１ｃ内に封入されたガス１１ｄが、ピストンロッド１１ｅの押し込み動作に連動して、その先端に取り付けられたピストンボディ１１ｆにより圧縮されることで、ガス１１ｄの反力としてのバネ力を発するように構成されている。このバネ力にかかるバネ定数は、ガス１１ｄの封入体積によって決定される。バネ定数が小さい場合に発せられるバネ力は、ピストンロッド１１ｅの押し込み量に対して直線的かつ緩やかに変化するため、押し込み量に対するバネ力の変化は小さくなる。
【００３７】
焦準機構５では、このようなガススプリング１１のバネ力によって、可動部５ｂから固定部５ａに加わる荷重が軽減されている。すなわち、固定部５ａと可動部５ｂとを係合するラック・ピニオンの噛合部に加わる可動部５ｂと、対物レンズ３と、ズーム鏡体４と、ズーム鏡体４に搭載された各種ユニットとの荷重が、下部アダプタ１２および上部アダプタ１３を介して固定部５ａおよび可動部５ｂに及ぼされるガススプリング１１の伸長方向のバネ力によって軽減されている。これによって、焦準機構５では、焦準ハンドル５ｃの回動操作が軽くなり、焦準駆動をスムーズに行うことができる。
【００３８】
一方、例えば接続ポート７ａ上に撮像ユニットが搭載され、可動部５ｂから固定部５ａに加わる荷重が増大される場合、撮像ユニットが搭載されない構成の荷重に対してバネ力が最適化されたガススプリング１１では、可動部５ｂからの荷重に対してバネ力が不足する。このため、可動部５ｂが自然に落下するか、あるいは落下しないまでも焦準ハンドル５ｃの回動操作が重くなる。この場合、ガススプリング１１は、よりバネ力の大きなガススプリングに交換する必要がある。また、例えば落射照明鏡筒６が投光管６ａおよびランプハウス６ｂとともに取り外され、可動部５ｂから固定部５ａに加わる荷重が減少される場合には、ガススプリング１１では可動部５ｂからの荷重に対するバネ力が強すぎて可動部５ｂが浮き上がってしまう。この場合、ガススプリング１１は、よりバネ力の小さいガススプリングに交換する必要がある。
【００３９】
このような場合にも、焦準機構５では、ガススプリング１１が着脱自在であり、他のガススプリングと交換可能であるため、可動部５ｂに搭載されるユニット構成、つまり顕微鏡１００のシステム構成に最適なバネ力を発するガススプリングを自在に装備できる。そして、これによって常に適切な荷重状態でスムーズに焦準ハンドル５ｃを回動操作することができ、所望の精度で焦準駆動を行うことができる。
【００４０】
なお、焦準ハンドル５ｃには、図示しない遊星歯車が内部に係合されており、焦準ハンドル５ｃの回転数を減速してピニオンに伝達するように構成されている。また、焦準ハンドル５ｃには、摩擦抵抗によって焦準ハンドル５ｃの回転トルクを重くする重さだし機構が合わせて構成されている。可動部５ｂから固定部５ａに加わる荷重の一部は、この遊星歯車によって減衰されるとともに、重さだし機構の摩擦力によっても支えられている。
【００４１】
ここで、ガススプリング１１の焦準機構５に対する取り付け手順について説明する。かかる取り付け手順では、まず、ガススプリング１１の下端部１１ａを下部アダプタ１２の支持部１２ａに連結し、下部アダプタ１２を固定部５ａの底面に締結する。このとき、図２に示したように、可動部５ｂの上面が焦準機構５の前後方向に所定角度で傾斜されていることに対応して、下端部１１ａは、連結用のビス１５ａを左右方向に挿通して支持部１２ａに連結される。また、下端部１１ａは、ガススプリング１１がビス１５ａを軸に回動可能な程度にナット１５ｂを仮締めして連結される。これによって、ガススプリング１１は、支持部１２ａにより前後方向に回動可能に支持される。なお、下端部１１ａは、下部アダプタ１２を固定部５ａの底面に締結した後に支持部１２ａに連結してもよい。
【００４２】
つぎに、図４（ａ）に示すように、ガススプリング１１の上端部１１ｂを上部アダプタ１３の支持部１３ａに連結する。このとき、上端部１１ｂは、可動部５ｂの上面の前後方向（図中左右方向）の傾斜に対応して、連結用のビス１６を左右方向（図中紙面垂直方向）に挿通して支持部１３ａに連結される。また、上端部１１ｂは、ガススプリング１１がビス１６を軸に回動可能な程度に図示しないナットを仮締めして連結される。これによって、ガススプリング１１は、支持部１３ａにより前後方向に回動可能に支持される。
【００４３】
つづいて、図４（ｂ）に示すように、上部アダプタ１３の仮止め部１３ｂａを六角穴付ボルト１４ａによって可動部５ｂの上面に仮止めする。ここで、仮止め部１３ｂａは、上部アダプタ１３に設けられた平板状の締結部１３ｂの前側端部であり、この仮止め部１３ｂａに形成された図示しない貫通孔に六角穴付ボルト１４ａを挿通しボルト締めすることで、可動部５ｂの上面に仮止めされる。これによって、上部アダプタ１３は、可動部５ｂの上面の傾斜方向、つまりガススプリング１１が回動可能な方向に、仮止め部１３ｂａを支点とし回動可能な状態で仮固定される。
【００４４】
このとき、可動部５ｂは、焦準駆動にかかる可動範囲内の上端位置で固定部５ａに固定されている。可動部５ｂの固定は、固定ハンドル５ｄ（図２参照）を締め込むことで行われる。また、ガススプリング１１は、最大長（自然長）に伸長した状態にあって、その上端部１１ｂは、可動部５ｂに対する所定の取り付け高さＨ０より差分ΔＨだけ高い高さＨ１の位置で支持部１３ａに支持されている。さらに、仮止め部１３ｂａは、可動部５ｂの上面において、締結部１３ｂの後側端部である本止め部１３ｂｂが後述のようにボルト締めされる位置より高い位置に仮止めされている。そして、上部アダプタ１３は、本止め部１３ｂｂがガススプリング１１の自然長に応じた高さだけ可動部５ｂの上面から浮き上がった状態で仮固定されている。
【００４５】
なお、ここではガススプリング１１を上部アダプタ１３に連結した後、上部アダプタ１３を可動部５ｂに仮固定するものとして説明したが、上部アダプタ１３を可動部５ｂに仮固定した後にガススプリング１１を上部アダプタ１３に連結してもよい。この場合、上部アダプタ１３は、可動部５ｂの上面に常設させることができる。また、上部アダプタ１３の仮止め部１３ｂａは、ヒンジ等の接合部材を介して回動可能な状態で可動部５ｂの上面に固定させてもよい。
【００４６】
つぎに、図４（ｃ）に示すように、上部アダプタ１３の本止め部１３ｂｂを、この本止め部１３ｂｂに形成された図示しない貫通孔に挿通した六角穴付ボルト１４ｂによって、可動部５ｂの上面に対しボルト締めする。これによって、上部アダプタ１３は、仮止め部１３ｂａを支点として回動し、六角穴付ボルト１４ｂの締め込み量としてのボルト締め量に応じて、支持部１３ａに支持されたガススプリング１１を押下して圧縮する。
【００４７】
このとき、例えば汎用的な工具であるＬ字型の六角レンチを用いて六角穴付ボルト１４ｂを締め付けることにより、締付け力のモーメントを大きくして六角穴付ボルト１４ｂを締め込むことができる。これによって、大きなバネ力を発するガススプリング１１を容易に圧縮することができる。すなわち、特別な工具や治具を用いることなくガススプリング１１を容易に押し縮めることができる。
【００４８】
その後、六角穴付ボルト１４ｂを根元まで締め込んで本止め部１３ｂｂを可動部５ｂの上面に締結固定するとともに、六角穴付ボルト１４ａを本締めすることで、ガススプリング１１は、図４（ｄ）に示すように、自然長から差分ΔＨだけ圧縮された状態で焦準機構５に取り付けられる。さらに、ガススプリング１１の下端部１１ａおよび上端部１１ｂの連結に用いたビスおよびナットを本締めして締着させることで、ガススプリング１１は焦準機構５に固設される。
【００４９】
なお、以上の取り付け手順では、本止め部１３ｂｂを固定するまでの間、下端部１１ａおよび上端部１１ｂを仮締めによって連結し回動可能に支持することとしたが、これは取付作業における作業性を考慮したものであって、特に、上部アダプタ１３を回動してガススプリング１１を圧縮する際に生じる上端部１１ｂの横ずれ動作を吸収するための処置である。
【００５０】
このように、顕微鏡１００では、下端部１１ａを下部アダプタ１２を介して固定部５ａに固定し、上端部１１ｂを上部アダプタ１３に連結し、仮止め部１３ｂａを可動部５ｂの上面に仮止めして安定させた後、本止め部１３ｂｂをボルト締めして固定するようにしているため、特別な工具や治具を用いることなく簡易な作業でガススプリング１１を圧縮状態にして焦準機構５に取り付けることができる。また、上述した取り付け手順を逆順に行うことにより、同様に簡易な作業でガススプリング１１を取り外すことができる。
【００５１】
これによって、顕微鏡１００では、簡易な作業でガススプリング１１を容易に交換することが可能であり、特別な工具や治具を用いて行う交換作業に比べて作業量の軽減と作業時間の削減とを実現できる。また、交換作業が簡易なことから、顕微鏡のシステム構成に応じて最適なバネ力を発するガススプリングを自在に装備することができ、常に適切な荷重状態でスムーズな焦準駆動を行うことができる。
【００５２】
また、顕微鏡１００では、焦準駆動にかかる可動範囲内の上端位置に可動部５ｂを固定した状態でガススプリング１１を圧縮し焦準機構５に取り付けるようにしているため、ガススプリング１１は、焦準駆動時の任意の位置における可動部５ｂに対して常に伸長方向のバネ力を及ぼすことができる。これによって、焦準駆動の途中で焦準ハンドル５ｃのトルク量が急激に変化することを防止できる。なお、焦準機構５に取り付けられる際のガススプリング１１の長さは、自然長以下であり、かつ焦準駆動にかかる可動範囲以上の圧縮ストロークが残された長さであれば任意でよい。ただし、可動範囲に対するトレランスを考慮して、１ｍｍ程度圧縮させた状態で取り付けることが好ましい。
【００５３】
また、顕微鏡１００では、一般にバネ定数の小さなガススプリング（符号１１ｃ〜１１ｆの部分に対応）を用いて形成されたガススプリング１１を、可動部５ｂから固定部５ａに加わる荷重を軽減する力を発する弾性部材として用いているため、弾性部材の焦準駆動時の圧縮量による力量差を小さくし、焦準ハンドル５ｃの回転力量差を低減させることができる。これによって、焦準ハンドル５ｃの操作感を可動範囲内でほぼ一定に保つことができる。
【００５４】
なお、上述したガススプリング１１の取り付け手順では、仮止め部１３ｂａが仮止めされ、かつ本止め部１３ｂｂがボルト締めされない状態で、上端部１１ｂが可動部５ｂに対する所定の取り付け高さＨ０より高い位置で支持部１３ａに支持されるものとして説明したが、これに加えて、例えば図５に示すように、可動部５ｂの上面における仮止め部１３ｂａの仮止め位置とほぼ同じ高さＨ２の位置で支持部１３ａに支持されるようにするとよい。これによって、本止め部１３ｂｂを六角穴付ボルト１４ｂによってボルト締めした際に、支持部１３ａが上端部１１ｂを押下する力の方向がガススプリング１１の圧縮方向とほぼ一致する。このため、一層容易かつ効率的にガススプリング１１を圧縮して取り付けることが可能となる。なお、図５における上端部１１ｂの所定の取り付け高さは、高さＨ０’で示されている。
【００５５】
（変形例１）
つぎに、本実施の形態１にかかる顕微鏡の変形例１について説明する。図６は、この変形例１にかかる顕微鏡が備える焦準機構２５の外観構成を示す斜視図である。図６に示すように、焦準機構２５は、上述した焦準機構５を基にして、下部アダプタ１２および上部アダプタ１３に替えて、下部アダプタ２２および上部アダプタ２３を備える。なお、本変形例１にかかる顕微鏡は、顕微鏡１００における焦準機構５を焦準機構２５に置き換えた構成を有する。
【００５６】
下部アダプタ２２は、下部アダプタ１２を基に、ビス等のピン状部材を用いて連結を行うものとした支持部１２ａに替えて、カップ状の受容部２２ａａが形成された支持部２２ａを有する。支持部２２ａは、受容部２２ａａに挿嵌されたガススプリング１１の下端部１１ａを支持する。下端部１１ａは、所定のトレランスをもって受容部２２ａａに挿嵌され、焦準機構５の前後方向に所定範囲で回動可能に支持される。このように下端部１１ａを支持した下部アダプタ２２は、下部アダプタ１２と同様に固定部５ａに固定される。
【００５７】
上部アダプタ２３は、上部アダプタ１３を基に、ビス等のピン状部材を用いて連結を行うものとした支持部１３ａに替えて、キャップ状の図示しない受容部が形成された支持部２３ａを有する。支持部２３ａは、この受容部に挿嵌されたガススプリング１１の上端部１１ｂを支持する。上端部１１ｂは、所定のトレランスをもってキャップ状の受容部に挿嵌され、焦準機構５の前後方向に所定範囲で回動可能に支持される。このように上端部１１ｂを支持した上部アダプタ２３は、上部アダプタ１３と同様に可動部５ｂの上面にボルト締めして固定される。
【００５８】
以上説明したように、この変形例１にかかる焦準機構２５では、ガススプリング１１と下部アダプタ２２および上部アダプタ２３とを連結する際、ビスおよびナット等を用いる必要がなく、下端部１１ａおよび上端部１１ｂを、それぞれ受容部２２ａａ，２３ａａに挿嵌させるだけでよいため、一層簡易な作業でガススプリング１１を焦準機構５に取り付けることが可能であり、着脱および交換にかかる時間を削減することができる。
【００５９】
なお、ガススプリング１１の上下端部を支持する各支持部は、上下端部の形状に応じて形成されるものであって、図６に示したように角柱状に限定されるものではない。同様に、各支持部に設けられる受容部の形状も、上下端部の形状に応じて形成されるものであり、特定の形状に限定されるものではない。
【００６０】
（変形例２）
つぎに、本実施の形態１にかかる顕微鏡の変形例２について説明する。図７は、この変形例２にかかる顕微鏡が備える焦準機構３５の外観構成を示す斜視図である。図７に示すように、焦準機構３５は、上述した焦準機構５を基にして、下部アダプタ１２に替えて下部アダプタ３２を備える。なお、本変形例２にかかる顕微鏡は、顕微鏡１００における焦準機構５を焦準機構３５に置き換えた構成を有する。
【００６１】
下部アダプタ３２は、下部アダプタ１２を基にして、単一の支持部１２ａに替えて、複数の支持部３２ａ〜３２ｃを有する。支持部３２ａ〜３２ｃは、それぞれガススプリング１１の下端部１１ａに対してビス等のピン状部材を挿通して連結するための貫通孔を有し、上下方向の異なる位置に設けられている。下端部１１ａは、任意に選択された支持部３２ａ〜３２ｃのいずれかの貫通孔を介して例えばビスが挿通され、ナットで締結されることによって連結される。図７には、下端部１１ａが、支持部３２ｂの図示しない貫通孔を介して挿通されたビス１５ａと、図示しないナットとを用いて連結し支持された状態が示されている。下端部１１ａは、支持部１２ａに支持される場合と同様に、支持部３２ａ〜３２ｃによって焦準機構５の前後方向に所定範囲で回動可能に支持される。また、下端部１１ａを支持した下部アダプタ３２は、下部アダプタ１２と同様に固定部５ａに固定される。
【００６２】
このように、この変形例２にかかる焦準機構３５では、高さの異なる複数の支持部３２ａ〜３２ｃが設けられた下部アダプタ３２を用いたことで、ガススプリング１１の下端部１１ａを、支持部３２ａ〜３２ｃの中から任意に選択された支持部に対して連結し支持させることが可能である。これによって、ガススプリング１１と自然長が異なるガススプリングであっても容易に着脱することができる。
【００６３】
例えば、ガススプリング１１より自然長の長いガススプリングを取り付ける場合、その下端部を下段の支持部３２ｃに連結することで、取付時の上端部の高さをほぼ一定に保つことができ、上部アダプタ１３を取り付ける際のガススプリングの圧縮長をほぼ一定に保つことができる。また、ガススプリング１１より自然長の短いガススプリングであっても焦準機構３５に装着することが可能となるため、装備可能なガススプリングの種類を増やすことができ、より詳細にバネ力の設定を行うことができる。
【００６４】
なお、ここでは下部アダプタ３２が３つの支持部３２ａ〜３２ｃを有するものとして説明したが、３つに限定して解釈する必要はなく、下部アダプタに設ける支持部の数は任意でよい。また、ここでは下部アダプタ３２が高さの異なる複数の支持部を有するものとして説明したが、上部アダプタが高さの異なる複数の支持部を有してもよく、下部アダプタおよび上部アダプタの両者が高さの異なる複数の支持部を有するものであってもよい。さらに、両者が複数の支持部を有する場合、上下方向のみならず水平方向にも各支持部の位置を異ならせることができる。これによって、例えば太さの異なるガススプリングであっても交換自在に装備することが容易となる。
【００６５】
（実施の形態２）
つぎに本発明の実施の形態２にかかる顕微鏡について説明する。図８は、本実施の形態２にかかる顕微鏡が備える焦準機構４５の外観構成を示す斜視図である。図８に示すように、焦準機構４５は、顕微鏡１００が備えた焦準機構５を基にして、可動部５ｂおよび下部アダプタ１２に替えて、可動部４５ｂおよび下部アダプタ４２を備える。また、弾性部材としてのガススプリング１１’と、ガススプリング１１’の上端部を支持する上部アダプタ４３と、補助弾性部材としてのコイルバネユニット４１と、をさらに備える。なお、本実施の形態２にかかる顕微鏡は、顕微鏡１００における焦準機構５を焦準機構４５に置き換えた構成を有する。
【００６６】
下部アダプタ４２は、支持部４２ａと、支持部４２ｂと、支持部４２ｃと、を有する。支持部４２ａは、下部アダプタ１２の支持部１２ａと同様にガススプリング１１の下端部１１ａを支持する。支持部４２ｂは、左右対称な配置で支持部４２ａと同様にガススプリング１１’の下端部１１ａ’を支持する。支持部４２ｃは、支持部４２ｂと前後に隣接した位置でコイルバネユニット４１の下端部を支持する。ガススプリング１１，１１’およびコイルバネユニット４１の各下端部を支持した下部アダプタ４２は、下部アダプタ１２と同様に固定部５ａに固定される。
【００６７】
上部アダプタ４３は、上部アダプタ１３と左右対称な形状に形成されており、上部アダプタ１３の支持部１３ａと同様にガススプリング１１’の上端部１１ｂ’を支持する支持部４３ａを有する。上端部１１ｂ’を支持した上部アダプタ４３は、可動部４５ｂの上面の上部アダプタ１３と左右対称な位置で、上部アダプタ１３と同様に締結部４３ｂがボルト締めされることによって固定される。このようにして、ガススプリング１１，１１’は、焦準機構４５の固定部５ａおよび可動部４５ｂに対して左右対称な配置で取り付けられる。
【００６８】
可動部４５ｂは、可動部５ｂの構造を基にして、さらにコイルバネユニット４１を挿着するための収容孔４５ｂａが左後端部に形成されている。収容孔４５ｂａは、可動部４５ｂの下面に挿入口としての円形開口を有し、上下方向すなわち可動部４５ｂの可動方向に平行な円筒状の長孔として形成されている。
【００６９】
コイルバネユニット４１は、図８におけるＡ矢視方向の断面図である図１０に示すように、下端を封止した円筒状のケース４１ａにコイルバネ４１ｂを挿入して形成されており、この上部が収容孔４５ｂａに挿入され、下端部が支持部４２ｃに支持されている。これによって、コイルバネユニット４１は、上下端部がそれぞれ可動部４５ｂと固定部５ａとに着脱自在に支持され、可動部４５ｂから固定部５ａに加わる荷重を軽減する力としてのバネ力を発するように焦準機構４５に装備されている。
【００７０】
このように、本実施の形態２にかかる顕微鏡では、焦準機構４５が２つのガススプリング１１，１１’とコイルバネユニット４１とを備えているため、１つのガススプリングを備える場合に比べ、可動部４５ｂから固定部５ａに加わる荷重に対してより大きなバネ力を設定することができる。これによって、一層重量化された顕微鏡のシステム構成に対して最適なバネ力を発揮させることができ、常に適切な荷重状態で焦準ハンドル５ｃをスムーズに回動操作することを可能にして、所望の精度で焦準駆動を行うことができる。なお、焦準機構４５は、２つのガススプリング１１，１１’を備えるものとしたが、２つに限定されず、３つ以上のガススプリングを交換自在に備えてよい。
【００７１】
また、本実施の形態２にかかる顕微鏡では、焦準機構４５が複数のガススプリングを交換自在に装備可能であるため、種々のバネ力を発するガススプリングを組み合わせて装備することにより、各ガススプリングのバネ力を合成して得る合成バネ力を詳細かつ多彩に設定することができる。これによって、一層多彩な顕微鏡のシステム構成に対して最適な合成バネ力を発揮させることができ、適切な荷重状態で焦準ハンドル５ｃをスムーズに回動操作することを可能にして、所望の精度で焦準駆動を行うことができる。
【００７２】
また、本実施の形態２にかかる顕微鏡では、焦準機構４５がコイルバネユニット４１を交換自在に備えているため、コイルバネユニットのバネ力も含めた合成バネ力を、さらに詳細かつ多彩に設定することができる。これは、コイルバネの設計がガススプリングに比して容易であり、種々のバネ力を発するコイルバネユニットを実現し易いことによる。これによって、より多彩な顕微鏡のシステム構成に対して合成バネ力を最適化することができる。また、コイルバネを用いることで、ガススプリングのみ用いる場合に比して、バネ力を発揮させる際の応答速度を高速化でき、焦準駆動時の動作速度を高速化できる。
【００７３】
なお、焦準機構４５は、１つのコイルバネユニット４１を備えるものとしたが、１つに限定されず、２以上のコイルバネユニットを交換自在に備えてもよい。また、コイルバネユニットを備えずに、複数のガススプリングのみ備えてもよく、これとは逆に、コイルバネユニットのみ備えるようにしてもよい。
【００７４】
ところで、上述した実施の形態１および２では、焦準機構の可動部から固定部にかかる荷重を軽減する力を発する弾性部材としてガススプリングを用いたが、ガススプリングに限定されず、他の弾性部材を用いてもよい。その場合、弾性部材の圧縮量に応じたバネ力の差を小さくし、焦準ハンドル５ｃの操作感を一定に保つため、圧縮量に対して直線的かつ緩やかにバネ力が変化するバネ定数の小さい弾性部材を用いることが好ましい。この一例として、例えば図１０に示すようなコイルバネユニット５１を用いることができる。
【００７５】
コイルバネユニット５１は、図１０に示すように、上端を封止した円筒状の上部ケース５１ｃと、下端を封止した円筒状の下部ケース５１ｅと、バネ定数の小さいコイルバネ５１ｄと、を用いて形成されている。コイルバネ５１ｄは、所定長さ圧縮された状態で上部ケース５１ｃおよび下部ケース５１ｅのケース内部で挟持されている。下部ケース５１ｅは、コイルバネ５１ｄのバネ力だけでは抜脱しないように、かつコイルバネ５１ｄの伸縮動作に応じて上部ケース５１ｃ内を上下動可能なように、その上部が上部ケース５１ｃ内に挿嵌されている。
【００７６】
このような上部ケース５１ｄと下部ケース５１ｅとの結合は、例えば、上部ケース５１ｃの下端部における内周部５１ｃａに雌ネジを形成し、下部ケース５１ｅの上端部における外周部５１ｅａに雄ネジを形成して、この雄ネジ部が上部ケース５１ｃの雌ネジ部より内部（上部）に入り込むまで、下部ケース５１ｅの上端部を螺挿することによって実現される。
【００７７】
また、コイルバネユニット５１は、下部ケース５１ｅの下面と上部ケース５１ｃの上面とに、それぞれガススプリング１１の下端部１１ａおよび上端部１１ｂと同じ構造の下端取付部５１ａと上端取付部５１ｂとが設けられている。これによって、コイルバネユニット５１は、ガススプリング１１，１１’と同様に、下部アダプタ１２，２２，３２または４２と、上部アダプタ１３，２３または４３とを介して交換自在に焦準機構に取り付けられ、可動部からの固定部に加わる荷重を軽減する力を発する弾性部材として機能する。
【００７８】
一方、上述した実施の形態１および２では、ガススプリング１１，１１’の上端部１１ｂ，１１ｂ’が上部アダプタ１３，２３または４３に対して、仮止め部を基点に本止め部より外側で支持されるものとしたが、これに限定されず、例えば図１１に示すように、仮止め部と本止め部との間で支持されるものとしてもよい。
【００７９】
図１１は、上述した焦準機構５，２５，３５および４５に替わる焦準機構５５の一部構成を示す図である。焦準機構５５では、ガススプリング１１の上端部１１ｂは、上部アダプタ５３を介して可動部５５ｂの上面に固定されている。上部アダプタ５３は、上部アダプタ１３と同様に、六角穴付ボルト１４ａによって仮止めされる仮止め部５３ｂａと、六角穴付ボルト１４ｂによってボルト締めして固定される本止め部５３ｂｂとが設けられている。上端部１１ｂは、この仮止め部５３ｂａと本止め部５３ｂｂと間で、ビス１６を用いて支持部５３ａに連結され、支持されている。
【００８０】
図１１（ａ）は図４（ｃ）に対応した状態を示しており、この状態から六角穴付ボルト１４ｂをボルト締めすることで、上端部１１ｂを押下してガススプリング１１を圧縮させることができる。そして、六角穴付ボルト１４ｂを根元まで締め込んで本止め部５３ｂｂを可動部５５ｂの上面に締結固定し、さらに六角穴付ボルト１４ａを本締めすることで、ガススプリング１１は、図１１（ｂ）に示すように、自然長から差分ΔＨ’だけ圧縮された状態で焦準機構５５に取り付けられる。
【００８１】
このように、ガススプリング１１の上端部１１ｂを上部アダプタ５３における仮止め部５３ｂａと本止め部５３ｂｂとの間に支持し、本止め部５３ｂｂをボルト締めしてガススプリング１１を押下し圧縮することで、てこの作用を利用することができ、ガススプリング１１を本止め部の外側に支持した場合に比べて小さい力で締め込むことが可能となる。これにより、一層簡易な作業でガススプリング１１を圧縮した状態にして焦準機構５５に取り付けることができる。なお、図１１では、ガススプリング１１を配設するために、可動部５５ｂの側面部と上部アダプタ５３の中央部に、それぞれ半円筒状の凹部５５ｂａと凹部５３ｂｃとが形成されている。
【００８２】
また、本発明は、上述した実施の形態に限らず、本発明の趣旨を逸脱しない範囲であれば、種々の変形が可能である。例えば、上述した実施の形態１および２では、本発明にかかる顕微鏡を、対物レンズ３を介して標本１を照明する落射照明鏡筒６を備えたものとして説明したが、例えば、ガラスプレート２ｂの下側から照明を行う透過照明装置を備えた顕微鏡とすることもできる。また、上述した実施の形態１および２では、本発明にかかる顕微鏡を、対物レンズを含む観察系を上下動して焦準駆動を行う正立顕微鏡として説明したが、例えば、標本と、この標本を搭載するステージ等とを上下動して焦準駆動を行う倒立顕微鏡、あるいは標本に対して上下に観察系を備え、上側の観察系を上下動して焦準駆動を行う顕微鏡とすることもできる。
【図面の簡単な説明】
【００８３】
【図１】本発明の実施の形態１にかかる顕微鏡の外観構成を示す図である。
【図２】図１に示した焦準機構の構成を示す斜視図である。
【図３】図１に示したガススプリングの構成を示す図である。
【図４】図１に示したガススプリングの取り付け手順を説明する図である。
【図５】ガススプリング上端部の取り付け方法の他の一例を説明する図である。
【図６】本発明の実施の形態１にかかる顕微鏡が備える焦準機構の変形例１の外観構成を示す図である。
【図７】本発明の実施の形態１にかかる顕微鏡が備える焦準機構の変形例２の外観構成を示す図である。
【図８】本発明の実施の形態２にかかる顕微鏡が備える焦準機構の外観構成を示す図である。
【図９】図８に示したガススプリングおよびコイルバネユニットの取付構造を示す図である。
【図１０】ガススプリングに代わるコイルバネユニットの構成を示す図である。
【図１１】ガススプリング上端部の取り付け方法の他の一例を説明する図である。
【符号の説明】
【００８４】
１    標本
２    架台
２ａ    支持部
２ｂ    ガラスプレート
３    対物レンズ
４    ズーム鏡体
４ａズームハンドル
５，２５，３５，４５，５５    焦準機構
５ａ    固定部
５ｂ，４５ｂ，５５ｂ    可動部
５ｃ    焦準ハンドル
５ｄ    固定ハンドル
６    落射照明鏡筒
６ａ    投光管
６ｂ    ランプハウス
７    三眼鏡筒
８    接眼レンズ
１１，１１’    ガススプリング
１１ａ，１１ａ’    下端部
１１ｂ，１１ｂ’    上端部
１２，２２，３２，４２    下部アダプタ
１２ａ，２２ａ，３２ａ〜３２ｃ，４２ａ〜４２ｃ    支持部
１３，２３，４３，５３    上部アダプタ
１３ａ，２３ａ，４３ａ，５３ａ    支持部
１３ｂ，２３ｂ，４３ｂ    締結部
１３ｂａ，５３ｂａ    仮止め部
１３ｂｂ，５３ｂｂ    本止め部
１４ａ，１４ｂ    六角穴付ボルト
１５ａ，１６    ビス
１５ｂ    ナット
４１，５１    コイルバネユニット
４１ｂ，５１ｄ    コイルバネ
５１ａ    下端取付部
５１ｂ    上端取付部
１００    顕微鏡
【図１】
2007133101.tif 000003
【図２】
2007133101.tif 000004
【図３】
2007133101.tif 000005
【図４】
2007133101.tif 000006
【図５】
2007133101.tif 000007
【図６】
2007133101.tif 000008
【図７】
2007133101.tif 000009
【図８】
2007133101.tif 000010
【図９】
2007133101.tif 000011
【図１０】
2007133101.tif 000012
【図１１】
2007133101.tif 000013